(57)【要約】【課題】レール・スライド構造をもつ携帯電子機器はデザインの自由度が高く利点の多いものであるが、その側面に釦を配置しようとすると、釦とレール部が干渉してしまう問題がある。【解決手段】そこで、本体部のレール部の先端からスイッチの位置している場所まで凹部を設け、本体部を外装パーツに挿入する際に釦のスイッチと接触する部分が、レール部と干渉しない構造とした。このような構造を採用することによって、携帯電子機器のデザインにおける自由度を確保すると共に、利便性の向上を実現する。【選択図】図１
2012191292.tif 000002
【特許請求の範囲】
【請求項１】
第１の端面から隆起したレール部が配設され、前記第１の端面から一部が露出している第１のスイッチが配設された本体部と、
前記レール部と嵌合するガイド部が配設され、前記レール部と前記ガイド部とを嵌合させることで前記本体部を収納する外装パーツと、
前記ガイド部の配設された端面の反対側に配設され、前記外装パーツの外部に突出する部分と、前記第１のスイッチと接する部分とを備える第１の釦と、
を備え、
前記レール部は、前記本体部を前記外装パーツに挿入する方向の先端から、前記第１のスイッチが配設された位置まで凹部を備えることを特徴とする携帯電子機器。
【請求項２】
前記第１のスイッチは、前記本体部の内部に配設されると共に、前記第１の端面から露出している面と、前記第１の端面と、は実質的同一面を構成する請求項１の携帯電子機器。
【請求項３】
前記第１の釦の前記第１のスイッチと接する部分は、突起している請求項１又は２の携帯電子機器。
【請求項４】
第１のスイッチと隣接し、前記本体部を前記外装パーツに挿入する方向であって、前記第１のスイッチから前記外装パーツまでの距離よりも前記外装パーツまでの距離が長くなる方向に第２のスイッチが配設されている請求項１乃至３いずれか一に記載の携帯電子機器。
【請求項５】
前記第２のスイッチに対応する第２の釦は前記第２のスイッチと接する部分の突起は、前記第１の釦の突起よりも長い請求項４の携帯電子機器。
【請求項６】
前記第１のスイッチ及び第２のスイッチは、ユーザーの操作を電気的な信号に変換する操作検出部と、前記操作検出部と接し、前記第１の端面に空けられた穴部に嵌合される防水パーツと、からなる請求項１乃至５いずれか一に記載の携帯電子機器。
【請求項７】
前記防水パーツは、ラバー素材を材料とし、前記穴部に形成された段差により位置決めされ、前記穴部と略密着する請求項６の携帯電子機器。
【請求項８】
前記本体部は、表示部を備える第１のモジュールと、前記第１のモジュールと結合する第２のモジュールからなり、前記外装パーツは、前記本体部を収納した際に、前記表示部が外部から視認可能である請求項１乃至７いずれか一に記載の携帯電子機器。
【請求項９】
さらに、前記第１のモジュールと、前記第２のモジュールとの間に防水パッキンを備える請求項８の携帯電子機器。
【請求項１０】
第１の端面から隆起したレール部が配設され、前記第１の端面から一部が露出している第１のスイッチが配設された本体部と、
前記レール部と嵌合するガイド部が配設され、前記レール部と前記ガイド部とを嵌合させることで前記本体部を収納する外装パーツと、
を備える携帯電子機器の製造方法であって、
前記外装パーツの穴部に前記第１のスイッチと接する部分とを備える第１の釦を挿入する工程と、
前記第１の釦を挿入後の前記外装パーツの前記ガイド部と前記本体部のレール部を嵌合させ、挿入する工程と、
を含むことを特徴とする携帯電子機器の製造方法。
【発明の詳細な説明】
【技術分野】
【０００１】
本発明は、携帯電子機器及びその製造方法に関する。特に、レール・スライド構造の筐体を備え、側面に操作釦が配設された携帯電子機器に関する。
【背景技術】
【０００２】
携帯電話を始めとした携帯電子機器の筐体は、基板の実装条件や量産時の組み立て効率を考慮して、実装基板などの内部モジュールを上下に分離可能なパネルで挟む構成になっているものが多い。その結果、携帯電子機器の筐体には、パーティングライン（接合跡）が側面に現れることになる。
【０００３】
一方、携帯電子機器は所有者以外の目に触れることも多く、携帯電子機器のデザイン面におけるユーザーの要望は非常に高いものとなっている。
【０００４】
ここで、特許文献１には携帯電子機器の購入後に、電子端末機器の筐体の構造を変更可能とする技術が開示されている。
【先行技術文献】
【特許文献】
【０００５】
【特許文献１】特開２００１−２５１４００号公報
【発明の概要】
【発明が解決しようとする課題】
【０００６】
以下の分析は、本発明の観点からなされたものである。
【０００７】
上述のように、携帯電子機器においては、携帯電子機器の側面にパーティングラインが現れるように筐体を分離している場合が多い。しかし、筐体にバリ等があると、携帯電子機器が美しく見えないことや鋭いエッジを形成してしまうことがある。このような問題を解決するため、上下のパネルの結合部に段差を設ける等の対応が行われてきた。しかし、このような段差を設けることは、携帯電子機器の概観をデザインする上での大きな制約となってしまう。
【０００８】
そこで、携帯電子機器の構造を、実装基板や液晶モニターなどを供えた本体部と、本体部から独立した外装パーツにレール・スライド構造で組み込む構成とすることが考えられる。図２は、本体部と外装パーツに分離可能な携帯電子機器の一例を示す斜視図である。図２に示す携帯電子機器は、外装パーツのガイドに沿って、本体部のレールを嵌め込み、スライドさせながら挿入することで組み立てる。
【０００９】
携帯電子機器を本体部と外装パーツの構成に分離した結果、携帯電子機器の筐体の側面に現れていたパーティングラインが無くなり、幅広いデザインが実現できる。さらに、本体部を外装パーツで包み込むような構造をしているため、携帯電子機器の強度が増し、量産時の組み立ても、本体部を外装パーツのガイドに沿って挿入するだけであるので非常に容易なものとなっている。
【００１０】
このように、本体部を独立した外装パーツにレール・スライド構造で組み込む構成は、利点が多いものであるが、ガイド及びレールと同一の側面に釦を配置しようとした場合、外装パーツに配設された釦と実装基板等に配設されたスイッチを接触させなければならないが、レール・スライド構造を採用しているため両者が干渉してしまうという問題がある。
【００１１】
以上のとおり、従来技術には、解決すべき問題点が存在する。
【００１２】
本発明の一側面において、本体部と外装パーツに分離可能な携帯電子機器において、側面に釦の配設が可能な携帯電子機器及びその製造方法が、望まれる。
【課題を解決するための手段】
【００１３】
本発明の第１の視点によれば、第１の端面から隆起したレール部が配設され、前記第１の端面から一部が露出している第１のスイッチが配設された本体部と、前記レール部と嵌合するガイド部が配設され、前記レール部と前記ガイド部とを嵌合させることで前記本体部を収納する外装パーツと、前記ガイド部の配設された端面の反対側に配設され、前記外装パーツの外部に突出する部分と、前記第１のスイッチと接する部分とを備える第１の釦と、を備え、前記レール部は、前記本体部を前記外装パーツに挿入する方向の先端から、前記第１のスイッチが配設された位置まで凹部を備える携帯電子機器が提供される。
【００１４】
本発明の第２の視点によれば、第１の端面から隆起したレール部が配設され、前記第１の端面から一部が露出している第１のスイッチが配設された本体部と、前記レール部と嵌合するガイド部が配設され、前記レール部と前記ガイド部とを嵌合させることで前記本体部を収納する外装パーツと、を備える携帯電子機器の製造方法であって、前記外装パーツの穴部に前記第１のスイッチと接する部分とを備える第１の釦を挿入する工程と、前記第１の釦を挿入後の前記外装パーツの前記ガイド部と前記本体部のレール部を嵌合させ、挿入する工程と、を含む携帯電子機器の製造方法が提供される。
【発明の効果】
【００１５】
本発明の各視点によれば、本体部と外装パーツに分離可能な携帯電子機器において、側面に釦の配設が可能な携帯電子機器及びその製造方法が、提供される。
【図面の簡単な説明】
【００１６】
【図１】本発明の概要を説明するための図である。
【図２】本体部と外装パーツに分離可能な携帯電子機器の一例を示す斜視図である。
【図３】本実施形態に係る携帯電子機器の全体を示す斜視図である。
【図４】図３に示す携帯電子機器を本体部と外装パーツに分解した時の斜視図である。
【図５】図３に示す携帯電子機器を構成要素毎に分解した時の斜視図である。
【図６】図３に示す携帯電子機器を位置Ａ−Ａの方向に切断した時の断面図である。
【図７】図３に示す携帯電子機器の平面図である。
【図８】図７に示す携帯電子機器を位置Ｂ−Ｂの方向に切断した時の断面図である。
【図９】図７に示す携帯電子機器を位置Ｃ−Ｃの方向に切断した時の断面図である。
【発明を実施するための形態】
【００１７】
初めに、図１を用いて本発明の概要について説明する。なお、この概要に付記した図面参照符号は、理解を助けるための一例として各要素に便宜上付記したものであり、本発明を図示の態様に限定することを意図するものではない。
【００１８】
上述のように、レール・スライド構造を持つ携帯電子機器はデザインの自由度が高く利点の多いものであるが、その側面に釦を配置しようとすると、釦とレール部が干渉してしまう問題がある。
【００１９】
そこで、本体部のレール部の先端からスイッチの位置している場所まで凹部を設け、本体部を外装パーツに挿入する際に釦のスイッチと接触する部分が、レール部と干渉しない構造とした。
【００２０】
その結果、レール・スライド構造を有する携帯電子機器の側面にキーの配置が可能となり、利便性を向上させることができる。また、レール・スライド構造を採用し、外装パーツが本体部を包むように収納することで、デザイン性を向上させる共に、耐衝撃性が向上する。
【００２１】
［第１の実施形態］
次に、本発明の第１の実施形態について、図面を用いてより詳細に説明する。図３は本実施形態に係る携帯電子機器１の全体を示す斜視図である。
【００２２】
携帯電子機器１は、液晶モニター２と、本体キー３１及び３２と、サイドキー４１及び４２を備えている。携帯電子機器１の操作は、液晶モニター２を見ながら本体キー３１及び３２や、サイドキー４１及び４２を押すことによって行う。
【００２３】
ここで、本実施形態に係る携帯電子機器１も上述のようなレール・スライド構造を採用するものとする。携帯電子機器１は本体部５０と外装パーツ６０に分解できる。
【００２４】
図４は、携帯電子機器１を本体部５０と外装パーツ６０に分解した時の斜視図である。外装パーツ６０は、本体部５０を包み込むように固定するＵ字型外装パーツ６１と、本体部５０をＵ字型外装パーツ６１に挿入した後に固定する外装キャップ６２から構成されている。また、サイドキー４１及び４２は、Ｕ字型外装パーツ６１の外側から押せるようにＵ字型外装パーツ６１の端面から若干突出して配設されている。なお、サイドキー４１及び４２の取り付け方法については後述する。
【００２５】
本体部５０は、液晶モニター２や本体キー３１及び３２を備えており、これらの動作に必要な回路を搭載した基板も本体部５０の内部に備えつけられている。また、本体部５０自体も、液晶モニター２や本体キー３１及び３２などが設置されている側の正面側内部フレーム５１と、正面側内部フレーム５１の反対側の背面側内部フレーム５２に分離可能な構造となっている。
【００２６】
このように、携帯電子機器１は、本体部５０と、外装パーツ６０から構成されており、本体部５０をＵ字型外装パーツ６１に挿入し、その後、外装キャップ６２で蓋をするような形で本体部５０を固定する。
【００２７】
次に、携帯電子機器１の構造とその組み立て方法の詳細について説明する。図５は、携帯電子機器１を構成要素毎に分解した時の斜視図である。
【００２８】
初めに、本体部５０の構造及び組み立て方法について説明する。本体部５０の内部には、液晶モニター２を駆動する回路やバッテリ等が含まれている。これらの駆動回路やバッテリ等を一つのモジュールとする構成要素を内部構成要素５３とする。内部構成要素５３には、実装基板５３１も含まれている。
【００２９】
本体部５０の組み立ては、内部構成要素５３を防水パッキン５３４と共に、正面側内部フレーム５１及び背面側内部フレーム５２によって挟むように行う。従って、内部構成要素５３は正面側内部フレーム５１及び背面側内部フレーム５２で保持されている。その後、内部構成要素５３と防水パッキン５３４を正面側内部フレーム５１及び背面側内部フレーム５２で挟んだ状態でネジ５３５を締めることにより、本体部５０が完成する。
【００３０】
次に、サイドキー４１及び４２の取り付けについて説明する。正面側内部フレーム５１には、サイドキー取り付け用の穴５１Ａ及び５１Ｂが開けられており、このサイドキー取り付け用の穴５１Ａ及び５１Ｂにサイドキー用防水ラバーパーツ５１１及び５１２を挿入する。なお、携帯電子機器１の側面に取り付けられたサイドキー４１及び４２による操作を検出するサイドキー用スイッチ５３２及び５３３は、内部構成要素５３の実装基板５３１上に実装されている。
【００３１】
次に、外装パーツ６１の内側からサイドキーパーツ６１１を挿入する。サイドキーパーツ６１１とは、樹脂で形成された部品であって、ユーザーが実際に指で押すパーツである。サイドキーパーツ６１１をＵ字型外装パーツ６１に挿入後は、Ｕ字型外装パーツ６１に設けられたガイド部に本体部５０のレール部を嵌め込み、スライドさせるように挿入する。本体部５０は突き当てリブで位置決めされる。その後、外装キャップ６２を嵌め込み、ネジ６２１を締め固定する。以上のようにして、携帯電子機器１を組み立てる。
【００３２】
次に、サイドキー４１及び４２とＵ字型外装パーツ６１、正面側内部フレーム５１との詳細な実装について説明する。図６は、図３の携帯電子機器１を位置Ａ−Ａの方向に切断した時の断面図である。実装基板５３１上にはサイドキー用スイッチ５３２及び５３３が段違いに実装されている。さらに、実装基板５３１は、サイドキー用スイッチ５３２及び５３３を段違いで配設可能なように切り欠きが設けられている。
【００３３】
正面側内部フレーム５１に開けられたサイドキー用穴５１Ａ及び５１Ｂに、サイドキー用防水ラバーパーツ５１１及び５１２が挿入されている。サイドキー用防水ラバーパーツ５１１及び５１２はラバー素材を用いて製造されており、摺動できる形状であるため、正面側内部フレーム５１の窪みに嵌り、正面側内部フレーム５１の外形より飛び出さない形状となっている。同時に、防水パーツ５１１は正面側内部フレーム５１に付けられた段差５１Ｃで位置決めされる。さらに、サイドキー用防水ラバーパーツ５１１のパッキン部５１１Ａが押しつぶされることにより防水性が確保できる。なお、サイドキー用防水ラバーパーツ５１２の取り付けについても同様である。
【００３４】
また、Ｕ字型外装パーツ６１の内側には、位置決め用のリブ６１Ａが設けられており、Ｕ字型外装パーツ６１の内側からサイドキーパーツ６１１の位置決め穴６１１Ａが位置決め用のリブ６１Ａに嵌るように挿入する。この時、サイドキーパーツ６１１のキー部分６１１Ｂ及び６１１ＣがＵ字型外装パーツ６１に開けられたサイドキー用穴６１Ｂ及び６１Ｃを通るように組み立てる。また、本体部５０をＵ字型外装パーツ６１に挿入する際に、サイドキーパーツ６１１の押し子部６１１Ｄ及び６１１Ｅが、本体部５０に当たらないように、押し子部６１１Ｄと６１１Ｅの間で段差を設けている。
【００３５】
次に、図７に示す携帯電子機器１において、位置Ｂ−Ｂの方向及び位置Ｃ−Ｃの方向に切断した際の構造について説明する。図８は、図７における携帯電子機器１を位置Ｂ−Ｂの方向に切断した際の断面図である。サイドキー４１の部分においては、正面側内部フレーム５１のレール部５１Ｄ及び背面側内部フレーム５２のレール部５２ＡとＵ字型外装パーツ６１の溝６１Ｄによってレール・スライド構造が構成される。
【００３６】
また、図９は、図７における携帯電子機器１を位置Ｃ−Ｃの方向に切断した際の断面図である。携帯電子機器１を組み立て時に、サイドキーの押し子部分６１１Ｄ及び６１１Ｅを避けるために正面側内部フレーム５１及び背面側内部フレーム５２それぞれに、凹部５１Ｅ及び凹部５２Ｂが存在する。
【００３７】
以上のように、本体部５０をＵ字型外装パーツ６１に挿入するレール・スライド構造を採用した携帯電子機器１において、キースイッチ５３２及び５３３を実装基板５３１上において段差を付けて配設し、さらに、本体部５０のレール部に、先端からキースイッチ５３３に至るまで凹部を設けることで、Ｕ字型外装パーツ６１に組み付けたサイドキーパーツ６１１を避けつつ、本体部５０を挿入することが可能になる。
【００３８】
このようにして取り付けられたサイドキー４１及び４２を押すと、サイドキーパーツ６１１の押し子部６１１Ｄ及び６１１Ｅによりサイドキー用防水ラバーパーツ５１１及び５１２が押される。さらに、サイドキー用防水ラバーパーツ５１１及び５１２が内部基板５３１上のスイッチ５３２及び５３３を押すことでユーザーの操作を検出できる。
【００３９】
その結果、デザイン上の制約になっていたパーティングラインを携帯電子機器の側面から消すと共に、防水性及び堅牢性を兼ね備えた携帯電子機器の提供が可能になる。なお、携帯電子機器１は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の携帯端末であって、樹脂の筐体構造を持つ機器とすることができる。
【００４０】
また、本実施形態では、本体キー３１及び３２が液晶モニター２と同一面に配設されている場合を想定したが、本体キー３１及び３２が存在せず、液晶モニター２にタッチパネルが取り付けられておりタッチパネルに触れることによって操作を行う携帯電子機器であっても良い。この場合には、携帯電子機器の側面にキーの配置が可能となり、より一層のデザイン及び利便性の向上を図ることができる。
【００４１】
上記の実施形態の一部又は全部は、以下の付記のようにも記載され得るが、以下には限られない。
【００４２】
（付記１）第１の端面から隆起したレール部が配設され、前記第１の端面から一部が露出している第１のスイッチが配設された本体部と、前記レール部と嵌合するガイド部が配設され、前記レール部と前記ガイド部とを嵌合させることで前記本体部を収納する外装パーツと、前記ガイド部の配設された端面の反対側に配設され、前記外装パーツの外部に突出する部分と、前記第１のスイッチと接する部分とを備える第１の釦と、を備え、前記レール部は、前記本体部を前記外装パーツに挿入する方向の先端から、前記第１のスイッチが配設された位置まで凹部を備える携帯電子機器。
【００４３】
（付記２）前記第１のスイッチは、前記本体部の内部に配設されると共に、前記第１の端面から露出している面と、前記第１の端面と、は実質的同一面を構成する携帯電子機器。
【００４４】
（付記３）前記第１の釦の前記第１のスイッチと接する部分は、突起している携帯電子機器。
【００４５】
（付記４）第１のスイッチと隣接し、前記本体部を前記外装パーツに挿入する方向であって、前記第１のスイッチから前記外装パーツまでの距離よりも前記外装パーツまでの距離が長くなる方向に第２のスイッチが配設されている携帯電子機器。
【００４６】
（付記５）前記第２のスイッチに対応する第２の釦は前記第２のスイッチと接する部分の突起は、前記第１の釦の突起よりも長い携帯電子機器。
【００４７】
（付記６）前記第１のスイッチ及び第２のスイッチは、ユーザーの操作を電気的な信号に変換する操作検出部と、前記操作検出部と接し、前記第１の端面に空けられた穴部に嵌合される防水パーツと、からなる携帯電子機器。
【００４８】
（付記７）前記防水パーツは、ラバー素材を材料とし、前記穴部に形成された段差により位置決めされ、前記穴部と略密着する携帯電子機器。
【００４９】
（付記８）前記本体部は、表示部を備える第１のモジュールと、前記第１のモジュールと結合する第２のモジュールからなり、前記外装パーツは、前記本体部を収納した際に、前記表示部が外部から視認可能である携帯電子機器。
【００５０】
（付記９）さらに、前記第１のモジュールと、前記第２のモジュールとの間に防水パッキンを備える携帯電子機器。
【００５１】
（付記１０）さらに、前記レール部と嵌合するガイド部が配設され、前記外装パーツと一体となって、前記本体部を収納する外装キャップを備える携帯電子機器。
【００５２】
（付記１１）前記本体部、外装パーツ及び外装キャップは、樹脂を材料とする携帯電子機器。
【００５３】
（付記１２）第１の端面から隆起したレール部が配設され、前記第１の端面から一部が露出している第１のスイッチが配設された本体部と、前記レール部と嵌合するガイド部が配設され、前記レール部と前記ガイド部とを嵌合させることで前記本体部を収納する外装パーツと、を備える携帯電子機器の製造方法であって、前記外装パーツの穴部に前記第１のスイッチと接する部分とを備える第１の釦を挿入する工程と、前記第１の釦を挿入後の前記外装パーツの前記ガイド部と前記本体部のレール部を嵌合させ、挿入する工程と、を含む携帯電子機器の製造方法。
【００５４】
なお、上記の特許文献等の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。例えば、サイドキー用のスイッチが基板上に実装されておらず、折り曲げたフレキシブルプリント基板上に実装されている場合や、防水パーツを保持する穴部が、背面側内部フレームに設置されていても構わない。
【符号の説明】
【００５５】
１  携帯電子機器
２  液晶モニター
３１、３２  本体キー
４１、４２  サイドキー
５０  本体部
５１  正面側内部フレーム
５１Ａ、５１Ｂ  サイドキー取り付け用の穴
５１Ｃ  正面側内部フレーム５１の段差
５１Ｄ  正面側内部フレーム５１のレール部
５１Ｅ  正面側内部フレーム５１の凹部
５２  背面側内部フレーム
５２Ａ  背面側内部フレーム５２のレール部
５２Ｂ  背面側内部フレーム５２の凹部
５３  内部構成要素
６０  外装パーツ
６１  Ｕ字型外装パーツ
６１Ａ  Ｕ字型外装パーツ６１の位置決め用リブ
６１Ｂ、６１Ｃ  Ｕ字型外装パーツ６１のサイドキー用穴
６１Ｄ  外装パーツ６１の溝
６２  外装キャップ
５１１、５１２  サイドキー用防水ラバーパーツ
５１１Ａ  サイドキー用防水ラバーパーツのパッキン部
５３１  実装基板
５３２、５３３  サイドキー用スイッチ
５３４  防水パッキン
５３５、６２１  ネジ
６１１  サイドキーパーツ
６１１Ａ  サイドキーパーツ６１１の位置決め穴
６１１Ｂ、６１１Ｃ  サイドキーパーツ６１１のキー部分
６１１Ｄ  ６１１Ｅ  サイドキーパーツ６１１の押し子部
【図１】
2012191292.tif 000003
【図２】
2012191292.tif 000004
【図３】
2012191292.tif 000005
【図４】
2012191292.tif 000006
【図５】
2012191292.tif 000007
【図６】
2012191292.tif 000008
【図７】
2012191292.tif 000009
【図８】
2012191292.tif 000010
【図９】
2012191292.tif 000011